(57)【要約】【課題】原稿画像の特性に応じて適切に画像データを読み取ることができる容易な構成の画像読取装置を提供する。【解決手段】原稿画像に照明光を照射する光源部１６５と、原稿画像から反射される反射光を受光し、当該受光した反射光に基づいて画像データを生成する受光部１６６と、操作者から画像データの色の境界をなだらかに調整する指示を受け付ける調整指示受付部３と、原稿画像の主走査方向一ラインに対して予め定められた蓄積光量で光源部１６５に照射を行わせる予め定められた駆動信号を光源部１６５に出力して、照明光の駆動を制御する光源駆動制御部４と、を備え、光源駆動制御部４は、調整指示受付部３により前記画像データの色の境界をなだらかに調整する指示が受け付けられた場合に、駆動信号を分割して予め定められた蓄積光量での照射を光源部１６５に行わせる画像読取装置１６。【選択図】図６
2011211468.tif 000002
【特許請求の範囲】
【請求項１】
原稿画像に照明光を照射する光源部と、
前記光源部により前記照明光が照射された際に前記原稿画像から反射される反射光を受光し、当該受光した反射光に基づいて前記原稿画像の画像データを生成する受光部と、
操作者から前記画像データの色の境界をなだらかに調整する指示を受け付ける調整指示受付部と、
前記原稿画像の主走査方向一ラインに対して予め定められた蓄積光量で前記光源部に照射を行わせる予め定められた駆動信号を前記光源部に出力して、前記照明光の駆動を制御する光源駆動制御部と、
を備え、
前記光源駆動制御部は、前記調整指示受付部により前記画像データの色の境界をなだらかに調整する指示が受け付けられた場合に、前記駆動信号を分割して前記予め定められた蓄積光量での照射を前記光源部に行わせる画像読取装置。
【請求項２】
前記光源駆動制御部は、前記調整指示受付部により受け付けられた前記画像データの色の境界をなだらかに調整する度合が高くなるにつれて前記駆動信号を分割する数を増加させ、前記予め定められた蓄積光量での照射を前記光源部に行わせる請求項１記載の画像読取装置。
【請求項３】
前記光源部は、複数のＬＥＤ素子を備えてなる請求項１または２に記載の画像読取装置。
【請求項４】
前記請求項１から３の何れかに記載の画像読取装置と、
前記画像読取装置で生成される画像データに基づいて動作を行う動作部と、
を備えた画像形成装置。
【請求項５】
原稿画像に照明光を照射する光源部と、前記光源部により前記照明光が照射された際に前記原稿画像から反射される反射光を受光し、当該受光した反射光に基づいて前記原稿画像の画像データを生成する受光部とを備えた画像読取装置における画像読取方法であって、
操作者から前記画像データの色の境界をなだらかに調整する指示を受け付ける調整指示受付ステップと、
前記原稿画像の主走査方向一ラインに対して予め定められた蓄積光量で前記光源部に照射を行わせる予め定められた駆動信号を前記光源部に出力して、前記照明光の駆動を制御する光源駆動制御ステップと、
を備え、
前記光源駆動制御ステップは、前記調整指示受付ステップにより前記画像データの色の境界をなだらかに調整する指示が受け付けられた場合に、前記駆動信号を分割して前記予め定められた蓄積光量での照射を前記光源部に行わせる画像読取方法。
【発明の詳細な説明】
【技術分野】
【０００１】
本発明は、原稿画像に対する照明光の照明時間を調整する技術に関する。
【背景技術】
【０００２】
従来から、スキャナ等の画像読取装置が原稿用面に表された原稿画像を読み取ることで生成した原稿画像の画像データを処理する画像形成装置が用いられており、例えば、スキャナ自身や、スキャナによって読み取られた原稿画像の画像データを処理する複写機、ファクシミリ及びこれらの複合機等がある。
【０００３】
画像読取装置は、冷陰極蛍光管等の白色蛍光ランプで構成された光源、原稿画像を載置するためのコンタクトガラス、主走査方向１ライン分の反射光を反射させるミラー群、結像レンズ、ＣＣＤ等を備えて構成され、光源及びミラー群は主走査方向と直行する副走査方向に移動可能なキャリッジに搭載されている。
【０００４】
画像読取装置は、コンタクトガラスに載置され原稿画像の読み取り指示が受け付けられると、光源によりコンタクトガラス上に載置された原稿画像を照射し、原稿画像の主走査方向１ライン分の反射光をミラーによって結像レンズに向けて反射させ、結像レンズに入射された光をＣＣＤに備えられた受光素子で光電変換して結像することで、１ライン分の原稿画像の読み取りを終了すると、副走査方向にキャリッジを移動して、次のラインの読み取りを行う。一方、キャリッジを移動させることなく、原稿画像を自動的に副走査方向に搬送して、１ライン分ずつ原稿画像を読み取る画像読取装置も存在する（例えば、下記特許文献１）。
【０００５】
上記の何れの読み取り方法であっても、主走査方向１ライン分の原稿画像の読み取りに必要となる、光源により照射される光の強度と照射時間との積で示される蓄積光量は予め定められており、例えば、下記特許文献１には、原稿画像を主走査方向に走査して１ライン分読み取るために必要な予め定められた時間（ライン周期）と同期した信号で、照明光の点灯期間のオンオフの比率（デューティ比）を変化させることにより、ライン周期に応じて点灯期間を調整しつつ、蓄積光量を一定に保つことができる技術が記載されている。
【先行技術文献】
【特許文献】
【０００６】
【特許文献１】特開平７−１３５５５５号公報
【発明の概要】
【発明が解決しようとする課題】
【０００７】
しかしながら、上記特許文献１に記載の技術では、原稿画像を搬送する際のライン周期の変動に対応して、読み取った画像に搬送ムラの影響が出にくいようにすることはできるが、例えば、文字画像等の色の境界が鮮明な原稿画像を読み取る場合と、写真等の色の境界がなだらかであり色味の変化がある原稿画像を読み取る場合とを区別することなく、一定に保たれた蓄積光量の照明光を読み取り対象の原稿画像に照射して読み取るため、原稿画像の特性に応じて適切に画像データを読み取ることができなかった。
【０００８】
従来は、当該問題に対して、読み取られた画像データを平滑化フィルタで処理する等の画像処理を行うことで回避していたが、このような画像処理を行うと階調性を損なってしまう等の他の問題が発生するため、当該問題を回避する画像処理の回路が新たに必要になる等、画像読取装置の複雑化を招いてしまうという問題があった。
【０００９】
また、画像読取装置では、上記のように、照明光と原稿画像の副走査方向における相対的な位置関係を変化させながら原稿画像を読み取るため、主走査方向に走査して得られる１ライン分の画像データは、照明光に対して原稿画像が静止している状態で得られる画像データとは異なり、副走査方向における１ラインの幅の原稿画像に対する反射光を読み取った影響を受け、副走査方向における１ラインの幅で平均化された画像データといえる。
【００１０】
そこで、原稿画像に対して照射する照明光の照射時間の長短を調整して、生成される画像データが副走査方向における１ラインの幅で平均化される影響を調整するとともに、照射時間の調整に応じて光の強度の強弱を調整して、蓄積光量を一定に保ちながら原稿画像を読み取ることにより、上記の問題を回避することができる。
【００１１】
しかし、この場合、光の強度の強弱を調整する回路を設ける必要があり、更に、蓄積光量を一定に保つためには、当該回路と照射時間の長短を調整する回路とを同期して制御する必要が生じる等、画像読取装置の複雑化を招いてしまうという問題があった。
【００１２】
そこで、本発明は、このような事情に鑑みてなされたものであり、原稿画像の特性に応じて適切に画像データを読み取ることができる容易な構成の画像読取装置を提供することを目的とする。
【課題を解決するための手段】
【００１３】
請求項１に記載の発明は、原稿画像に照明光を照射する光源部と、
前記光源部により前記照明光が照射された際に前記原稿画像から反射される反射光を受光し、当該受光した反射光に基づいて前記原稿画像の画像データを生成する受光部と、
操作者から前記画像データの色の境界をなだらかに調整する指示を受け付ける調整指示受付部と、
前記原稿画像の主走査方向一ラインに対して予め定められた蓄積光量で前記光源部に照射を行わせる予め定められた駆動信号を前記光源部に出力して、前記照明光の駆動を制御する光源駆動制御部と、
を備え、
前記光源駆動制御部は、前記調整指示受付部により前記画像データの色の境界をなだらかに調整する指示が受け付けられた場合に、前記駆動信号を分割して前記予め定められた蓄積光量での照射を前記光源部に行わせる画像読取装置である。
【００１４】
この発明では、調整指示受付部により、例えば、原稿画像が色の境界がなだらかなイメージ画像である場合等、受光部で生成される画像データの色の境界をなだらかに調整する指示が受け付けられると、光源駆動制御部により、原稿画像の主走査方向一ラインに対して予め定められた蓄積光量で光源部に照射を行わせる予め定められた駆動信号が分割され、当該予め定められた蓄積光量での照射が光源部により行われる。
【００１５】
つまり、光源駆動制御部により分割された駆動信号によって光源部から照明光が照射されるようになり、且つ、その際に原稿画像の主走査方向一ラインに対して照射される蓄積光量は、駆動信号が分割される以前と変わらず、予め定められた蓄積光量が一定に保たれる。このため、光の強度を変更し、さらに、これと同期して光源からの光の照射時間を調整する等の複雑な機構を設けなくても、原稿画像の主走査方向一ラインに対して照射される蓄積光量を一定に保つことができる。
【００１６】
また、画像読取装置では、上記のように、照明光と原稿画像の副走査方向における相対的な位置関係を変化させながら原稿画像を読み取るため、主走査方向に走査して得られる１ライン分の画像データは、照明光に対して原稿画像が静止している状態で得られる画像データとは異なり、副走査方向における１ラインの幅の原稿画像に対する反射光を読み取った影響を受け、副走査方向における１ラインの幅で平均化された画像データといえる。
【００１７】
しかし、この発明では、例えば、イメージ画像を読み取って色の境界がなだらかな画像データを得たい場合には、光源駆動制御部により、蓄積光量を一定に保ちながら予め定められた駆動信号が分割されるため、主走査方向一ラインの読み取り時における照明光の照射が開始される時点から照射が終了する時点までの期間が延長されるようになる。
【００１８】
したがって、副走査方向における１ラインの幅の原稿画像に対する反射光を読み取る影響が高められ、副走査方向における１ラインの幅で平均化されたなだらかな画像データを生成することができるようになる。
【００１９】
また、請求項２に記載の発明は、前記請求項１に記載の画像読取装置であって、前記光源駆動制御部は、前記調整指示受付部により受け付けられた前記画像データの色の境界をなだらかに調整する度合が高くなるにつれて前記駆動信号を分割する数を増加させ、前記予め定められた蓄積光量での照射を前記光源部に行わせる。
【００２０】
この発明では、光源駆動制御部により、調整指示受付部により受け付けられた画像データの色の境界をなだらかに調整する度合が高くなるにつれて駆動信号を分割する数が増加されるため、主走査方向一ラインの読み取り時における照明光の照射が開始される時点から照射が終了する時点までの期間を操作者から指示された画像データの色の境界をなだらかに調整する度合に応じて適切に延長させることができ、画像データの色の境界をなだらかに調整する度合を柔軟に調整することができるようになる。
【００２１】
また、請求項３に記載の発明は、前記請求項１または２に記載の画像読取装置であって、光源部は、複数のＬＥＤ素子を備えてなる。
【００２２】
この発明では、光源部が複数のＬＥＤ素子を備えて構成されているため、従来から光源部に用いられている冷陰極蛍光管等に比して、極めて短時間で点灯及び消灯することができ、さらに、消費電力が低いという利点を有することができる。
【００２３】
また、請求項４に記載の発明は、前記請求項１から３の何れかに記載の画像読取装置と、
前記画像読取装置で生成される画像データに基づいて動作を行う動作部と、
を備えた画像形成装置である。
【００２４】
また、請求項５に記載の発明は、原稿画像に照明光を照射する光源部と、前記光源部により前記照明光が照射された際に前記原稿画像から反射される反射光を受光し、当該受光した反射光に基づいて前記原稿画像の画像データを生成する受光部とを備えた画像読取装置における画像読取方法であって、
操作者から前記画像データの色の境界をなだらかに調整する指示を受け付ける調整指示受付ステップと、
前記原稿画像の主走査方向一ラインに対して予め定められた蓄積光量で前記光源部に照射を行わせる予め定められた駆動信号を前記光源部に出力して、前記照明光の駆動を制御する光源駆動制御ステップと、
を備え、
前記光源駆動制御ステップは、前記調整指示受付ステップにより前記画像データの色の境界をなだらかに調整する指示が受け付けられた場合に、前記駆動信号を分割して前記予め定められた蓄積光量での照射を前記光源部に行わせる画像読取方法である。
【００２５】
これらの発明では、請求項１に記載の発明における効果を奏することができる。
【発明の効果】
【００２６】
本発明によれば、原稿画像の特性に応じて適切に画像データを読み取ることができる容易な構成の画像読取装置を提供することが可能になる。
【図面の簡単な説明】
【００２７】
【図１】本発明の一実施形態に係る画像形成装置の一例である複合機を示す図である。
【図２】複合機の内部構造を説明するための正面断面視の説明図である。
【図３】複合機の電気的な構成を示すブロック図である。
【図４】予め定められた駆動信号を示す図である。
【図５】予め定められた駆動信号に従い、原稿画像からの反射光を受光する動作を説明する図である。
【図６】光源駆動制御部により予め定められた駆動信号が分割されることを示す図である。
【図７】光源駆動制御部により分割された駆動信号に従い、原稿画像からの反射光を受光する動作を説明する図である。
【図８】原稿画像を読み取る動作を示すフローチャートである。
【発明を実施するための形態】
【００２８】
以下、本発明の一実施形態に係る画像形成装置について図面を参照して説明する。尚、以下の実施形態では、本発明における画像形成装置を、カラーコピー、スキャナ、プリンタ等の機能を備えた複合機に集約した形態を例に説明する。
【００２９】
図１は、本発明に係る複合機の一実施形態を示す外嵌視の斜視図であり、図２は、複合機の内部構造を説明するための正面断面視の説明図である。尚、図１および図２においてＸ−Ｘ方向を左右方向及び副走査方向、Ｙ−Ｙ方向を前後方向及び主走査方向といい、特に−Ｘ方向を左方、＋Ｘ方向を右方、−Ｙ方向を前方、＋Ｙ方向を後方という。
【００３０】
図１に示す複合機１０は、装置本体１１に画像形成部１２と、定着部１３と、用紙貯留部１４と、排紙部１５と、画像読取部１６と、操作部１７とが形成されている。そして、排紙部１５は、画像読取部１６の下部で装置本体１１の一部が凹没されることによって形成されている。
【００３１】
装置本体１１は、外観視で直方体状を呈した下部本体１１１と、この下部本体１１１の上方に対向配置された扁平な直方体状を呈する上部本体１１２と、この上部本体１１２と下部本体１１１との間に介設された連結体１１３とを備えている。
【００３２】
連結体１１３は、下部本体１１１と上部本体１１２との間に排紙部１５を形成させた状態で両者を互いに連結するための構造物であり、下部本体１１１の左部から立設されている。上部本体１１２は、その左部がかかる連結体１１３の上端部に支持されている。
【００３３】
下部本体１１１には、画像形成部１２、定着部１３および用紙貯留部１４が内装されているとともに、上部本体１１２には画像読取部１６が装着されている。操作部１７は、本実施形態においては、上部本体１１２の前縁部から前方に向かって突設されている。
【００３４】
排紙部１５は、下部本体１１１と上部本体１１２との間に形成されている。排紙部１５は、下部本体１１１の上面に形成された胴内排紙トレイ１５１を有し、画像形成部１２からのトナー画像が転写された用紙Ｐは、連結体１１３の下部からこの胴内排紙トレイ１５１へ向けて排出される。
【００３５】
画像形成部１２は、図２に示すように、用紙貯留部１４から給紙された用紙Ｐにトナー像を形成させるものであり、上流側（右側）から下流側へ向けて順次配設されたマゼンタ用ユニット１２Ｍ、シアン用ユニット１２Ｃ、イエロー用ユニット１２Ｙ及びブラック用ユニット１２Ｋと、を備えている。
【００３６】
各ユニット１２Ｍ，１２Ｃ，１２Ｙ，１２Ｋには、感光体ドラム１２１および現像装置１２２がそれぞれ備えられている。各感光体ドラム１２１は、図２において反時計方向へ向けて回転しつつ対応した現像装置１２２からトナーが供給される。各現像装置１２２には、装置本体１１の前面側（図２の紙面の表側）に配設された図略のトナーカートリッジからトナーが補給される。
【００３７】
各感光体ドラム１２１の直下位置には帯電器１２３がそれぞれ設けられているとともに、各帯電器１２３のさらに下方位置には露光装置１２４が設けられている。そして、各感光体ドラム１２１は、帯電器１２３によって周面が一様に帯電され、画像読取部１６で読み取られた画像データに基づく各色に対応したレーザー光が各露光装置１２４から帯電後の感光体ドラム１２１の周面に照射されることにより、各感光体ドラム１２１の周面に静電潜像が形成される。かかる静電潜像に現像装置１２２からトナーが供給されることにより、感光体ドラム１２１の周面にトナー像が形成される。
【００３８】
感光体ドラム１２１の上方位置には、当該各感光体ドラム１２１に当接するように駆動ローラ１２５ａおよび従動ローラ１２５ｂ間に張設された転写ベルト１２５（像担持体）が設けられている。
【００３９】
この転写ベルト１２５は、各感光体ドラム１２１に対応して設けられたドラム用転写ローラ１２５ｃによって感光体ドラム１２１の周面に対向させられ状態で各感光体ドラム１２１と同期しながら駆動ローラ１２５ａと従動ローラ１２５ｂとの間を周回する。
【００４０】
従って、転写ベルト１２５が周回することによりその表面に対しマゼンタ用ユニット１２Ｍの感光体ドラム１２１によるマゼンタのトナー像の転写が行なわれ、ついで転写ベルト１２５の同一位置にシアン用ユニット１２Ｃの感光体ドラム１２１によるシアンのトナー像の転写が重ね塗り状態で行なわれ、ついで転写ベルト１２５の同一位置にイエロー用ユニット１２Ｙの感光体ドラム１２１によるイエローのトナー像の転写が重ね塗り状態で行なわれ、最後のブラック用ユニット１２Ｋの感光体ドラム１２１によるブラックのトナー像の転写が重ね塗り状態で行なわれる。
【００４１】
これらによって転写ベルト１２５の表面にカラー画像形成される。この転写ベルト１２５の表面に形成されたカラー画像が用紙貯留部１４から搬送されてきた用紙Ｐに転写されることになる。
【００４２】
そして、各感光体ドラム１２１の図２における右方位置には当該感光体ドラム１２１の周面の残留トナーを除去して清浄化するクリーニング装置１２６が設けられている。クリーニング装置１２６によって清浄化処理された感光体ドラム１２１の周面は、新たな帯電処理のために帯電器１２３へ向かうことになる。
【００４３】
クリーニング装置１２６で感光体ドラム１２１の周面から取り除かれた廃トナーは、所定の経路を通って図略のトナー回収ボトルに回収される。
【００４４】
画像形成部１２の左方位置には、上下方向に延びる用紙搬送路１２７が設けられている。この用紙搬送路１２７には、適所に搬送ローラ対１２７ａが設けられ、用紙貯留部１４からの用紙Ｐがこの搬送ローラ対１２７ａの駆動で駆動ローラ１２５ａに掛け回されている転写ベルト１２５へ向けて搬送される。
【００４５】
用紙搬送路１２７には、駆動ローラ１２５ａと対向した位置に周面が転写ベルト１２５の表面と対向した２次転写ローラ（転写ローラ）１２０が設けられ、用紙搬送路１２７を通して搬送されつつある用紙Ｐが転写ベルト１２５と２次転写ローラ１２０とに押圧挟持されることによって転写ベルト１２５上のトナー像が当該用紙Ｐに転写される。
【００４６】
定着部１３は、画像形成部１２で転写された用紙Ｐ上のトナー像に対し定着処理を施すものであり、内部に加熱源であるハロゲンランプ等の通電発熱体を備えたヒートローラ１３１と、左方でこのヒートローラ１３１と対向配置された定着ローラ１３２と、この定着ローラ１３２と前記ヒートローラ１３１との間に掛け回された定着ベルト１３３と、左方でこの定着ベルト１３３と対向配置された加圧ローラ１３４とを備えている。
【００４７】
２次転写ローラ１２０を介して画像形成部１２から導出された転写処理済の用紙Ｐは、定着ベルト１３３を介して定着ローラ１３２および加圧ローラ１３４間に押圧挟持されつつ定着ベルト１３３による加熱処理でトナー像が定着され、用紙Ｐ上に安定した状態のカラー画像が形成される。定着処理の完了したカラー印刷済みの用紙Ｐは、定着部１３の上部から延設された排紙搬送路１２９を通り、胴内排紙トレイ１５１へ向けて排出される。
【００４８】
用紙貯留部１４は、装置本体１１における露光装置１２４の下方位置に挿脱自在に装着された給紙トレイ１４１と、下部本体１１１の右側面に開閉自在に設けられた手差しトレイ１４２とを備えている。給紙トレイ１４１には用紙束Ｐ１が貯留される。そして、給紙トレイ１４１に貯留された用紙束Ｐ１からピックアップローラ１４３の駆動で用紙Ｐが１枚ずつ繰り出され、用紙搬送路１２７を通って画像形成部１２へ導入される。
【００４９】
手差しトレイ１４２は、用紙Ｐを１枚ずつ手差しで給紙するためのものである。かかる手差しトレイ１４２から給紙された用紙Ｐは、給紙トレイ１４１の上方位置に形成されたバイパス搬送路を介して画像形成部１２へ送り込まれる。
【００５０】
画像読取部１６は、上部本体１１２の上面開口に装着された、原稿が原稿面を下にして載置されるコンタクトガラス１６１と、このコンタクトガラス１６１上に載置された原稿を押さえるためのコンタクトガラス１６１に対し開閉自在とされた扁平な直方体状の原稿カバー１６２と、この原稿カバー１６２の上部に設けられた原稿自動読取装置１６３と、コンタクトガラス１６１上に載置された、あるいは原稿自動読取装置１６３からコンタクトガラス１６１上に送り込まれた原稿の原稿画像を読み取るための上部本体１１２に内装された光学系ユニット１６４と、を備えている。
【００５１】
光学系ユニット１６４は、複数の白色ＬＥＤ（Light Emitting Diode）で構成された本発明における光源部としての光源１６５、第１ミラー１６９ａ、第２ミラー１６９ｂ、第３ミラー１６９ｃ、第１キャリッジ１６７ａ、第２キャリッジ１６７ｂ、結像レンズ１６８、本発明における受光部としてのＣＣＤ（Charge CoupLED Device）１６６を備え、光源１６５及び第１ミラー１６９ａは、第１キャリッジ１６７ａによって支持され、第２ミラー１６９ｂ及び第３ミラー１６９ｃは第２キャリッジ１６７ｂによって支持されている。
【００５２】
尚、光源１６５に用いられる白色ＬＥＤは、従来から光源に用いられている冷陰極蛍光管等に比して、極めて短時間で点灯及び消灯することができ、さらに、消費電力が低いという利点を有している。
【００５３】
光学系ユニット１６４による原稿読取方法としては、コンタクトガラス１６１上に載置された原稿を読み取るフラットベッド読取モードと、原稿を原稿自動読取装置１６３によって取り込み、その搬送途中で原稿を読み取るＡＤＦ読取モードがある。
【００５４】
フラットベッド読取モードでは、光源１６５がコンタクトガラス１６１上に載置された原稿を照射し、主走査方向１ライン分の反射光が第１ミラー１６９ａ、第２ミラー１６９ｂ、第３ミラー１６９ｃの順に反射して、結像レンズ１６８に入射する。結像レンズ１６８に入射した光はＣＣＤ１６６の受光面で結像される。
【００５５】
ＣＣＤ１６６は、原稿画像の主走査方向のライン状に配列された複数の受光素子を備え、受光面に集光された光を複数の受光素子で光電変換することにより、原稿画像に応じたアナログ信号を生成する一次元のイメージセンサである。
【００５６】
ＣＣＤ１６６において原稿画像の主走査方向１ライン分の画像が同時に処理され、１ライン分の読み取りが終了すると、主走査方向と直交する方向（副走査方向、矢印Ｙ方向）に第１キャリッジ１６７ａ及び第２キャリッジ１６７ｂが移動され、次のラインの読み取りが行われる。
【００５７】
ＡＤＦ読取モードでは、原稿自動読取装置１６３によって原稿が１枚ずつコンタクトガラス１６１上に取り込まれ、所定の読取位置上を原稿が通過するとき、光源１６５が原稿を照射し、主走査方向１ライン分の反射光が第１ミラー１６９ａ、第２ミラー１６９ｂ、第３ミラー１６９ｃの順に反射して、結像レンズ１６８に入射する。結像レンズ１６８に入射した光はＣＣＤ１６６の受光面で結像される。続いて原稿は原稿自動読取装置１６３によって搬送され、次のラインが読み取られる。
【００５８】
尚、以下の説明においては、フラットベッド読取モードによって原稿画像の読み取りを行うことを前提に説明を行う。
【００５９】
光学系ユニット１６４で読み取られた原稿画像は、ディジタル化処理が施された上で画像形成部１２の露光装置１２４へ向けて出力される。
【００６０】
操作部１７は、画像形成処理に関する各種の項目（用紙サイズや処理部数等）を入力操作するためのものである。
【００６１】
図１に示すように、操作部１７には、上記の原稿画像の読取動作の実行指示等、画像形成装置に備えられた各機能の実行指示を入力するためのスタートキー１７１や、数値情報を入力するためのテンキー１７２、さらには現に行われたテンキー１７２による入力情報やエラーメッセージ等を表示するＬＣＤ（Ｌｉｑｕｉｄ  ｃｒｙｓｔａｌ  ｄｉｓｐｌａｙ）１７３等が設けられている。
【００６２】
装置本体１１の左面には、下部本体１１１内の左面側で紙詰り等のトラブルが生じたときに開放される、略左面全面に亘った開閉自在のメンテナンスドアー１８が設けられている。このメンテナンスドアー１８は、その下端部がドア軸１８１回りに回動可能に軸支され、閉止された状態から当該ドア軸１８１回りに反時計方向に向けた回動されることにより開放される。
【００６３】
また、下部本体１１１内におけるメンテナンスドアー１８の直ぐ右側には、画像形成部１２の左側面を覆う開閉自在のカバーユニット（カバー部材）２０が設けられている。そして、閉止された状態のカバーユニット２０の右面と画像形成部１２の左壁面との間の適所には、用紙搬送路１２７が形成されているとともに、閉止された状態のカバーユニット２０の左面と閉止された状態のメンテナンスドアー１８との間には、逆送搬送路１８２が形成されている。
【００６４】
逆送搬送路１８２は、用紙Ｐに対して両面印刷を施すときに使用されるものである。すなわち、両面印刷を行うに際しては、定着部１３で定着処理が施されることにより片面印刷が完了した用紙Ｐが逆送搬送路１８２を通って逆送され、表裏が反転された状態で再度画像形成部１２の転写ベルト１２５と２次転写ローラ１２０との間に供給され、これによって用紙Ｐの他方の面に印刷処理が施される。
【００６５】
逆送搬送路１８２で紙詰まりが発生したときは、メンテナンスドアー１８が開放されてその解消作業が行われ、用紙搬送路１２７で紙詰まりが発生したときは、メンテナンスドアー１８が開放された上でカバーユニット２０が開放されてその解消作業が行われる。
【００６６】
図３は、図１及び図２に示す複合機１０の電気的な構成を示すブロック図である。図３に示すように、複合機１０は、上記の画像形成部１２と定着部１３と用紙貯留部１４と排紙部１５と画像読取部１６と操作部１７の各部を動作制御する制御部１を備えている。
【００６７】
制御部１は、データを一時的に保管する機能や作業領域としての機能を有するＲＡＭ、プログラムを予め記憶するＲＯＭ、及び、前記プログラム等をＲＯＭから読み出して実行するＣＰＵを備えて構成されており、ＣＰＵとＲＡＭ及びＲＯＭとはデータバスを介してデータの授受を行うように構成されている。ＣＰＵは、ＲＯＭに格納されているプログラムを適宜実行することで、そのプログラムの内容に応じた処理を実行する。
【００６８】
また、制御部１は、読取制御部２と、調整指示受付部３と、光源駆動制御部４としての機能を有する。
【００６９】
読取制御部２は、画像読取部１６に備えられたキャリッジ１６７ａ，１６７ｂの読取動作を制御するものである。読取制御部２は、操作部１７を介して原稿画像の読取要求が受け付けられると、上記のように、副走査方向にキャリッジ１６７ａ、１６７ｂを移動させながら１ライン分ずつ画像を読み取る制御を行う。
【００７０】
調整指示受付部３は、操作者から画像データの色の境界をなだらかに調整する指示を受け付けるものである。例えば、調整指示受付部３は、操作部１７を介して、原稿画像が線画や写真等の色の境界がなだらかに変化するイメージ画像であることが入力されると、ＣＣＤ１６６で生成される画像データの色の境界をなだらかに調整する指示がされたものとして、当該入力を受け付ける。
【００７１】
光源駆動制御部４は、原稿画像の主走査方向一ラインに対して予め定められた蓄積光量で光源１６５に照射を行わせる予め定められた駆動信号を光源１６５に出力して、照明光の駆動を制御するものである。
【００７２】
具体的には、光源駆動制御部４は、光源１６５に対して電流を供給して光源１６５を点灯させる期間を示すオン信号と、光源１６５への電流の供給を停止して光源１６５を消灯させる時期を示すオン信号とで構成される駆動信号の波形を調整することにより、照明光の駆動を制御する。
【００７３】
例えば、図４に示すように、光源駆動制御部４は、原稿画像を主走査方向に走査して１ライン分の読み取りを開始する時点と終了する時点を示す走査信号の周期Ｔ（ライン周期）に応じて、原稿画像を主走査方向に走査して１ライン分の読み取りを開始する時点からライン周期Ｔの４分の１（１／４×Ｔ）に相当する期間の経過後に、２分の１（１／２×Ｔ）に相当する期間、光源１６５に照明光の照射を行わせ、その後、ライン周期Ｔの４分の１（１／４×Ｔ）の期間、光源１６５による照射を停止させる駆動信号を出力する。
【００７４】
ここで、図中の駆動信号の高さは、光源１６５により照射される光の強度を示し、当該光の強度と、光源１６５に照明光の照射を行わせる照射時間（１／２×Ｔ）との積が原稿画像の主走査方向一ラインに対する蓄積光量を示す。
【００７５】
尚、ライン周期Ｔ及び原稿画像の主走査方向一ラインに対する蓄積光量は、光源１６５やＣＣＤ１６６等の特性に応じて予め定められている。また、予め定められた原稿画像の主走査方向一ラインに対する蓄積光量に対応して、原稿画像を読み取る光の強度及び照明光の照射時間も予め定められる。つまり、原稿画像の主走査方向一ラインの読み取りにおいて光源１６５により照射される駆動信号の波形は予め定められている。
【００７６】
このとき、ＣＣＤ１６６に備えられた受光素子のうちの３つの受光素子Ａ１，Ａ２，Ａ３の開口部がラインＬ２の原稿画像を読み取る動作について説明する。図５に示すように、ラインＬ２の読み取り動作が開始してからライン周期Ｔの４分の１が経過した時点になると、光源１６５の点灯が開始される。このため、受光素子Ａ１，Ａ２，Ａ３は、ラインＬ２に隣接するラインＬ１の４分の１程度に相当する反射光と、ラインＬ２の４分の３程度に相当する反射光を受光する。
【００７７】
次いで、受光素子Ａ１，Ａ２，Ａ３は、光源１６５が消灯される時点を示す、ラインＬ２の読み取りが開始してからライン周期Ｔの４分の３が経過する時点まで、主としてラインＬ２の反射光を受光し続け、さらに、ラインＬ２に隣接するラインＬ３の４分の１程度に相当する反射光を受光する。次いで、受光素子Ａ１，Ａ２，Ａ３は、ライン周期Ｔの終了時点で、受光した反射光を光電変換して、ラインＬ２の画像データを生成する。
【００７８】
つまり、当該生成されたラインＬ２を示す画像データには、ラインＬ２に隣接するラインＬ１及びラインＬ３の反射光を僅かながら受光した影響が含まれるため、原稿画像に比して、色の境界が僅かになだらかに変化する画像データが生成される。
【００７９】
さらに、光源駆動制御部４は、調整指示受付部３により画像データの色の境界をなだらかに調整する指示が受け付けられた場合に、上記の駆動信号を分割して予め定められた蓄積光量での照射を光源１６５に行わせる。
【００８０】
例えば、図６に示すように、光源駆動制御部４は、原稿画像がイメージ画像である場合に調整指示受付部３により画像データの色の境界をなだらかに調整する指示が受け付けられると、図中の駆動信号の高さで示される光の強度と分割後の各照射時間との積の合計で示される蓄積光量が、上記の予め定められた蓄積光量と等しくなるようにして駆動信号を分割する。したがって、原稿画像の主走査方向一ラインに対する蓄積光量を加減することなく照射時間が分割されるため、光源１６５の照射を開始する時点と終了する時点の間の期間が延長される。
【００８１】
このとき、ＣＣＤ１６６に備えられた受光素子のうちの３つの受光素子Ａ１，Ａ２，Ａ３の開口部がラインＬ２の原稿画像を読み取る動作について説明する。
【００８２】
図６に示すように、光源駆動制御部４により、光源１６５により照明光が照射される予め定められた照射時間（１／２×Ｔ）が分割され、光源１６５の照射を開始する時点と終了する時点の間の期間が延長されると、図７に示すように、ラインＬ２の読み取り動作の開始時点で光源１６５の点灯が開始され、受光素子Ａ１，Ａ２，Ａ３は、ラインＬ２に隣接するラインＬ１の２分の１程度に相当する反射光とラインＬ２の２分の１程度に相当する反射光を受光する。
【００８３】
次いで、受光素子Ａ１，Ａ２，Ａ３は、光源１６５が消灯されるまで、ラインＬ１の２分の１程度に相当する反射光と、ラインＬ２の反射光と、ラインＬ３の２分の１程度に相当する反射光を受光し、ライン周期Ｔの終了時点で受光した反射光を光電変換してラインＬ２の画像データを生成する。
【００８４】
つまり、当該生成されたラインＬ２を示す画像データには、ラインＬ２に隣接するラインＬ１の２分の１程度に相当する反射光及びラインＬ３の２分の１程度に相当する反射光を受光した影響が含まれるため、上記の予め定められた駆動信号に従って原稿画像を読み取る場合に比して、色の境界がなだらかに変化する画像データが生成されるようになる。
【００８５】
つまり、画像読取部１６と操作部１７と制御部１とを備えて、本発明における画像読取装置の一例が構成されている。また、画像形成部１２と定着部１３は、本発明における画像読取装置により生成された画像データに基づいて動作を行う動作部の一例を示している。
【００８６】
本構成によれば、例えば、イメージ画像を読み取って色の境界がなだらかに変化する画像データを得たい場合には、光源駆動制御部４により、蓄積光量を一定に保ちながら予め定められた駆動信号が分割されるため、主走査方向一ラインの読み取り時における照明光の照射が開始される時点から照射が終了する時点までの期間が延長されるようになる。
【００８７】
したがって、副走査方向における１ラインの幅の原稿画像に対する反射光を読み取る影響が高められ、副走査方向における１ラインの幅で平均化されたなだらかな画像データを生成することができるようになる。
【００８８】
尚、上記の図６は、光源駆動制御部４により分割された駆動信号の一例を示すものであり、これに限らず、光源駆動制御部４は、調整指示受付部３により受け付けられた画像データの色の境界をなだらかに調整する度合が高くなるにつれて、駆動信号を分割する数を増加させるように構成してもよい。
【００８９】
この場合、光源駆動制御部４により、調整指示受付部３により受け付けられた画像データの色の境界をなだらかに調整する度合が高くなるにつれて駆動信号を分割する数が増加されるため、主走査方向一ラインの読み取り時における照明光の照射が開始される時点から照射が終了する時点までの期間を操作者から指定された画像データの色の境界をなだらかに調整する度合に応じて適切に延長させることができ、画像データの色の境界をなだらかに調整する度合を柔軟に調整することができるようになる。
【００９０】
以下に、原稿画像を読み取る動作について、図８に示すフローチャートを用いて説明する。
【００９１】
操作者によりコンタクトガラス１６１上に原稿画像が載置され、画像読取部１６による原稿画像の読み取り動作の開始指示が操作部１７を介して入力され、調整指示受付部３により、原稿画像が色の境界がなだらかな写真画像等のイメージ画像であって、ＣＣＤ１６６で生成される画像データの色の境界をなだらかに調整する指示が受け付けられると（Ｓ１、調整指示受付ステップ；ＹＥＳ）、光源駆動制御部４は、例えば、図６に示すように、予め定められた駆動信号を分割して予め定められた蓄積光量での照射を光源１６５に行わせ、読取制御部２により原稿画像を読み取らせる（Ｓ２、光源駆動制御ステップ）。
【００９２】
一方、原稿画像が色の境界が鮮明な文字画像等のテキスト画像である場合等、調整指示受付部３により、ＣＣＤ１６６で生成される画像データの色の境界をなだらかに調整する指示が受け付けられなかった場合は（Ｓ１、調整指示受付ステップ；ＮＯ）、光源駆動制御部４は、予め定められた駆動信号（図４）を光源１６５に出力して、予め定められた蓄積光量での照射を光源１６５に行わせ、読取制御部２により原稿画像を読み取らせる（Ｓ３、光源駆動制御ステップ）。
【００９３】
尚、上記各実施形態では、本発明に係る画像形成装置の一例を、スキャナ機能、プリンタ機能、コピー機能等を兼ね備えた複合機として説明したが、本発明に係る画像形成装置は複合機に限られず、他の画像読取装置を備えた画像形成装置（コピー機等）であっても構わない。
【００９４】
尚、本発明は上述の実施形態の構成に限られず種々の変形が可能である。前記図１乃至図８に示した構成及び処理は、本発明に係る実施形態の例示に過ぎず、本発明を前記実施形態に限定する趣旨ではない。
【符号の説明】
【００９５】
１  制御部（画像読取装置）
３  調整指示受付部
４  光源駆動制御部
１０  複合機（画像形成装置）
１６  画像読取部（画像読取装置）
１７  操作部（画像読取装置）
１６５  光源（光源部）
１６６  ＣＣＤ（受光部）
Ｓ１  調整指示受付ステップ
Ｓ２  光源駆動制御ステップ
【図１】
2011211468.tif 000003
【図２】
2011211468.tif 000004
【図３】
2011211468.tif 000005
【図４】
2011211468.tif 000006
【図５】
2011211468.tif 000007
【図６】
2011211468.tif 000008
【図７】
2011211468.tif 000009
【図８】
2011211468.tif 000010